【手続補正書】
【提出日】令和1年5月13日(2019.5.13)
【手続補正１】
【補正対象書類名】特許請求の範囲
【補正対象項目名】全文
【補正方法】変更
【補正の内容】
【特許請求の範囲】
【請求項１】
カプセル内に加圧下で流体を供給する手段により物質を抽出及び／又は溶解することによって飲用可能な飲料を調製するための該物質を容れるカプセルであって、
カプセル本体中心軸を有するアルミニウムカプセル本体と、ここで前記アルミニウムカプセル本体は、底、側壁、外向きに延在するフランジ、および前記フランジに封止構造を備えている、および
前記フランジに取り付けられ且つ密封的に該カプセルを閉じている蓋シートと、
を備え、ここで
該カプセルが飲料調製装置の囲み部材内に置かれかつ前記囲み部材が該飲料調製装置の閉じ部材、例えば該飲料調製装置の抽出プレートによって閉じられ、前記フランジの少なくとも部分および前記封止構造が前記環状端面と前記閉じ部材との間にクランプされている場合に、前記封止構造は、飲料調製装置の前記囲み部材の環状端面との流体封止接触を提供するように変形可能であり、前記環状端面は半径方向に延在する複数の開放溝を任意的に備えていてもよく、
前記封止構造は、前記フランジの変形可能な封止リング部分を含み、前記封止リング部分は、前記蓋シートの反対側の前記ベース部分の側で前記フランジ（それに前記蓋シートが取り付けられている）のベース部分から軸方向に突出しており、前記変形可能な封止リング部分は、
前記フランジの内側ベース部分から延在しかつそこと隣接する内側壁部分と、
前記フランジの外側ベース部分から延在しかつそこと隣接する外側壁部分と、ここで前記外側壁部分は前記内側壁部分の半径方向外側に置かれかつ前記内側壁部分と半径方向に間隔を空けて配置されている、および
前記内側壁部分と前記外側壁部分とを相互接続しているブリッジ部分と、ここで前記ブリッジ部分は前記フランジの前記ベース部分から軸方向に間隔を空けて配置されている、
を備えており、
半径方向の断面図において、該フランジの前記ベース部分から軸方向に最も離れた前記ブリッジ部分の頂部が、前記ブリッジ部分の前記頂部の壁厚の２倍よりも大きい曲率半径で湾曲され、かつ
前記外側壁部分は、前記フランジの関連する隣接ベース部分の平面に対して斜めの角度で延在し、かつ前記内側壁部分は、前記フランジの関連する隣接ベース部分の平面に対してより急勾配のまたは対角で前記フランジの関連する隣接ベース部分から延在する、
上記カプセルにおいて、
前記内側壁部分の少なくとも部分は、断面において湾曲し、かつ前記内側壁部分の前記湾曲部分は、前記ブリッジ部分の前記頂部の該曲率に連続していることを特徴とする、
上記カプセル。
【請求項２】
前記ブリッジ部分の該頂部の少なくとも一部は、前記内側壁部分および外側壁部分の壁厚よりも薄い低減された壁厚を有する、請求項１に記載のカプセル。
【請求項３】
前記カプセル本体の少なくとも１つの側面に被覆をさらに備え、前記被覆は、低減された壁厚を有する前記ブリッジ部分の該頂部の少なくとも前記部分には存在しない、請求項２に記載のカプセル。
【請求項４】
前記ブリッジ部分の前記被覆されていない部分は、前記蓋の反対側の前記フランジの側にあり、テクスチャ加工された表面を有する、請求項３に記載のカプセル。
【請求項５】
前記テクスチャ加工された表面は、前記フランジの円周方向に延在する隆起部および谷部を含む、請求項４に記載のカプセル。
【請求項６】
前記外側壁部分が、該フランジの関連の隣接する該ベース部分の平面に対して、２０〜６０°の斜めの角度で延在しており、前記内側壁部分が、該フランジの関連の隣接する該ベース部分から、該フランジのベース部分に関連する平面に対して６０〜１６０°の角度で延在している、請求項１〜５の何れか１項に記載のカプセル。
【請求項７】
断面図において、前記外側壁部分のうちの少なくとも１部分が、湾曲した中心面を有している、請求項１〜６の何れか１項に記載のカプセル。
【請求項８】
前記内側および外側壁部分のうちの前記少なくとも１つの前記湾曲した部分は、前記ブリッジ部分の前記頂部の該湾曲に隣接している、請求項７に記載のカプセル。
【請求項９】
断面図において、前記変形可能な封止リング部分は、Ω字形状をしている、請求項８に記載のカプセル。
【請求項１０】
前記内側壁部分と前記外側壁部分との間に支持部材をさらに備えている、請求項１〜９の何れか１項に記載のカプセル。
【請求項１１】
前記ブリッジ部分の前記頂部は、前記封止リング部分が互換性飲料調製装置の前記環状端面と前記閉じ部材との間にクランプされるときに、前記環状端部分によって最初に接触されるように位置決めされる、請求項１〜１０の何れか１項に記載のカプセル。
【請求項１２】
前記ブリッジ部分の前記頂部は、該カプセルの中心線の周りに円周方向に延在する山を形成し、前記山は２９〜３３ｍｍ、より好ましくは３０．０〜３１．４ｍｍ、最も好ましくは３０．３〜３１．０ｍｍの直径を有する、請求項１１に記載のカプセル。
【請求項１３】
該封止リング部分および該カプセル本体の残り部分が、同一板材で作られている、請求項１〜１２の何れか１項に記載のカプセル。
【請求項１４】
カプセル内に加圧下で供給された流体を使用して該カプセルから飲用可能な飲料を調製するためのシステムであって、該システムは、
該カプセルを受け取るための囲み部材を備えた飲料調製装置と、ここで該囲み部材は該カプセル内に加圧流体を供給する流体注入手段を備え、該飲料調製装置はさらに、該飲料調製装置の該囲み部材を閉じる閉じ部材、例えば抽出プレートを備え、前記囲み部材は環状端面を有する環状端部を有し、前記環状端部表面は、半径方向に延在する複数の開放溝を任意的に備えていてもよい、および
カプセル内に加圧下で流体を供給する手段によって物質を抽出及び／又は溶解することによって飲用可能な飲料を調製するための該物質を容れるカプセルとを有し、
前記カプセルは、
カプセル本体中心軸を有するアルミニウムカプセル本体と、ここで前記アルミニウムカプセル本体は、底、側壁、外向きに延在するフランジ、および前記フランジでの封止構造を備えている、および
前記フランジに取り付けられ且つ密封的に該カプセルを閉じている蓋シートと、
を備え、
ここで、該カプセルが前記囲み部材内に置かれかつ前記囲み部材が前記閉じ部材によって閉じられ、前記フランジの少なくとも部分および前記封止構造が前記環状端部面と前記閉じ部材との間でクランプされる場合に、前記封止構造は、変形可能であり、且つ前記環状端部面と流体封止接触にあり、
前記封止構造は、前記フランジの変形可能な封止リング部分を含み、該カプセルが該囲み部材内にあるときに、前記封止リング部分は、前記囲み部材と向き合う前記ベース部分の側に、前記蓋シートが取り付けられている前記フランジのベース部分から軸方向に突出しており、前記変形可能な封止リング部分は、
前記フランジの内側ベース部分から延在しかつそこと隣接する内側壁部分と、
前記フランジの外側ベース部分から延在しかつそこと隣接する外側壁部分と、ここで前記外側壁は前記内側壁部分の半径方向外側に置かれかつ前記内側壁部分と半径方向に間隔を空けて配置されている、および
前記内側壁部分と前記外側壁部分とを相互接続しているブリッジ部分と、ここで前記ブリッジ部分は前記フランジの前記ベース部分から軸方向に間隔を空けて配置されている、
を備えており、
半径方向の断面図において、該フランジの前記ベース部分から軸方向に最も離れた前記ブリッジ部分の頂部が、前記ブリッジ部分の前記頂部の壁厚の２倍よりも大きい曲率半径で湾曲され、かつ
前記外側壁部分は、前記フランジの関連する隣接ベース部分の平面に対して斜めの角度で延在し、かつ前記内側壁部分は、前記フランジの関連する隣接ベース部分の平面に対してより急勾配のまたは対角で前記フランジの関連する隣接ベース部分から延在する、
上記システムにおいて、
前記内側壁部分の少なくとも部分は、断面において湾曲し、かつ前記内側壁部分の前記湾曲部分は、前記ブリッジ部分の前記頂部の該曲率に連続していることを特徴とする、
上記システム。
【請求項１５】
前記封止リング部分が前記環状端面と前記閉じ部材との間でクランプされるときに、前記環状端面は、最初に前記ブリッジ部分の前記頂部と接触するように位置決めされている、請求項１４に記載のシステム。
【請求項１６】
断面図において、前記封止リング部分が前記環状端面と前記閉じ部材との間でクランプされるときに、前記ブリッジ部分の前記頂部が、最初に前記環状端面の中央部分に接触するように、前記環状端面に対して中央に置かれている、請求項１５に記載のシステム。
【請求項１７】
該カプセルは、請求項２〜１３の何れか１項に記載のカプセルである、請求項１４〜１６の何れか１項に記載のシステム。
【請求項１８】
カプセルを受け取るための囲み部材を備える飲料調製装置における、請求項１〜１３の何れか１項に記載のカプセルの使用方法であって、該囲み部材は、該カプセル内に加圧下で流体を供給するための流体注入手段を備え、該飲料調製装置はさらに、該飲料調製装置の該囲み部材を閉じるための閉じ部材、例えば抽出プレートを備え、前記囲み部材は環状端面を有する環状端部を有し、前記環状端面は複数の径方向に延在する開放溝を任意的に備えていてもよく、該カプセルは該飲料調製装置の該囲み部材内に置かれ、該囲み部材が該飲料調製装置の該閉じ部材によって閉じられ、そして該封止構造の少なくとも１部分が、該飲料調製装置の該囲み部材と該閉じ部材との間でクランプされて、該封止構造に該環状端面と封止接触させる、
上記使用方法。
【請求項１９】
請求項３〜５の何れか１項に記載のカプセルのカプセル本体を製造する方法であって、半完成の深絞りされたカップ部材から出発して、前記内側及び外側壁部分の壁厚よりも薄い薄くされた壁厚を有する前記ブリッジ部分の前記頂部の前記部分を形成するために前記フランジの１部分の壁厚を薄くすることを包含し、ここで前記被覆は、壁厚を薄くする前または間に、壁厚が薄くされるべきである前記フランジの前記部分から被覆が取り除かれる、上記製造する方法。